【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
光源と、
前記光源から出射された光ビームを偏向する回転多面鏡と、
前記回転多面鏡により偏向された光ビームを被走査面へ案内する反射ミラーと、
前記光源、前記回転多面鏡、及び前記反射ミラーを収容する光学箱と、
を備える光走査装置の製造方法であって、
前記光学箱は、前記反射ミラーの長手方向の一端側を支持するための第１の支持部と、前記反射ミラーの長手方向の他端側を支持するための第２の支持部と、を有し、
前記第１の支持部は、支持する前記反射ミラーが当接するための当接面を有する複数の凸部を有し、
前記複数の凸部それぞれが有する前記当接面は全て同一平面上に位置するように前記第１の支持部に形成されており、
前記光走査装置が搭載される画像形成装置の単位時間当たりの印刷可能枚数に関する情報に基づいて、前記反射ミラーの支持に用いる凸部を前記複数の凸部から少なくとも１つ選択する選択工程と、
前記複数の凸部のうち、前記選択工程で選択した凸部を除いた凸部が前記反射ミラーに非接触となるような加工を前記光学箱に加える加工工程と、
前記反射ミラーを前記加工工程において加工を加えなかった凸部の前記当接面に設置する設置工程と、
前記設置工程で前記当接面に設置した前記反射ミラーを前記光学箱に固定する固定工程と、
を備えることを特徴とする光走査装置の製造方法。
【請求項２】
光源と、
前記光源から出射された光ビームを偏向する回転多面鏡と、
前記回転多面鏡により偏向された光ビームを被走査面へ案内する反射ミラーと、
前記光源、前記回転多面鏡、及び前記反射ミラーを収容する光学箱と、
を備える光走査装置の製造方法であって、
前記光学箱は、前記反射ミラーの長手方向の一端側を支持するための第１の支持部と、前記反射ミラーの長手方向の他端側を支持するための第２の支持部と、を有し、
前記第１の支持部は、支持する前記反射ミラーが当接するための当接面を有する複数の凸部を有し、
前記複数の凸部は、前記反射ミラーが前記複数の凸部に設置されたと仮定した場合に、前記複数の凸部が有する全ての前記当接面に前記反射ミラーが接触するように前記第１の支持部に形成されており、
前記光走査装置が搭載される画像形成装置の単位時間当たりの印刷可能枚数に関する情報に基づいて、前記反射ミラーの支持に用いる凸部を前記複数の凸部から少なくとも１つ選択する選択工程と、
前記複数の凸部のうち、前記選択工程で選択した凸部を除いた凸部が前記反射ミラーに非接触となるような加工を前記光学箱に加える加工工程と、
前記反射ミラーを前記加工工程において加工を加えなかった凸部の前記当接面に設置する設置工程と、
前記設置工程で前記当接面に設置した前記反射ミラーを前記光学箱に固定する固定工程と、
を備えることを特徴とする光走査装置の製造方法。
【請求項３】
前記選択工程において選択される前記凸部の数は１つであることを特徴とする請求項１又は請求項２に記載の光走査装置の製造方法。
【請求項４】
前記光走査装置の単位時間当たりの印刷可能枚数に関する情報は、前記光学箱が有することを特徴とする請求項１から請求項３までのいずれか１項に記載の光走査装置の製造方法。
【請求項５】
前記光走査装置の単位時間当たりの印刷可能枚数に関する情報は、ラベルとして前記光学箱に貼り付けられていることを特徴とする請求項４に記載の光走査装置の製造方法。
【請求項６】
前記加工工程における前記凸部の前記反射ミラーに対して非接触とするための加工は、前記凸部の溶融により行われることを特徴とする請求項１から請求項５までのいずれか１項に記載の光走査装置の製造方法。
【請求項７】
前記複数の凸部の各々の周囲には、前記溶融した凸部が流れ込む溝部が設けられていることを特徴とする請求項６に記載の光走査装置の製造方法。
【請求項８】
前記加工工程における前記凸部の前記反射ミラーに対して非接触とするための加工は、前記凸部の切削により行われることを特徴とする請求項１から請求項５までのいずれか１項に記載の光走査装置の製造方法。
【請求項９】
前記加工工程における前記凸部の前記反射ミラーに対して非接触とするための加工は、前記凸部の破断により行われることを特徴とする請求項１から請求項５までのいずれか１項に記載の光走査装置の製造方法。
【請求項１０】
前記凸部の前記当接面に当接する前記反射ミラーの面は、前記反射ミラーの短手方向の底面であることを特徴とする請求項１から請求項９までのいずれか１項に記載の光走査装置の製造方法。
【請求項１１】
光源と、
前記光源から出射された光ビームを偏向する回転多面鏡と、
前記回転多面鏡により偏向された光ビームを被走査面へ案内する反射ミラーと、
前記光源、前記回転多面鏡、及び前記反射ミラーを収容する光学箱と、を備える光走査装置であって、
前記光走査装置は、請求項１から請求項１０のいずれか１項に記載された製造方法により製造されたことを特徴とする光走査装置。
【請求項１２】
シートに画像を形成する画像形成手段と、
前記画像形成手段を駆動する駆動手段と、
請求項１１に記載された光走査装置と、
を備えることを特徴とする画像形成装置。
【手続補正２】
【補正対象書類名】明細書
【補正対象項目名】０００９
【補正方法】変更
【補正の内容】
【０００９】
（１）光源と、前記光源から出射された光ビームを偏向する回転多面鏡と、前記回転多面鏡により偏向された光ビームを被走査面へ案内する反射ミラーと、前記光源、前記回転多面鏡、及び前記反射ミラーを収容する光学箱と、を備える光走査装置の製造方法であって、前記光学箱は、前記反射ミラーの長手方向の一端側を支持するための第１の支持部と、前記反射ミラーの長手方向の他端側を支持するための第２の支持部と、を有し、前記第１の支持部は、支持する前記反射ミラーが当接するための当接面を有する複数の凸部を有し、前記複数の凸部それぞれが有する前記当接面は全て同一平面上に位置するように前記第１の支持部に形成されており、前記光走査装置が搭載される画像形成装置の単位時間当たりの印刷可能枚数に関する情報に基づいて、前記反射ミラーの支持に用いる凸部を前記複数の凸部から少なくとも１つ選択する選択工程と、前記複数の凸部のうち、前記選択工程で選択した凸部を除いた凸部が前記反射ミラーに非接触となるような加工を前記光学箱に加える加工工程と、前記反射ミラーを前記加工工程において加工を加えなかった凸部の前記当接面に設置する設置工程と、前記設置工程で前記当接面に設置した前記反射ミラーを前記光学箱に固定する固定工程と、を備えることを特徴とする光走査装置の製造方法。
【手続補正３】
【補正対象書類名】明細書
【補正対象項目名】００１０
【補正方法】変更
【補正の内容】
【００１０】
（２）光源と、前記光源から出射された光ビームを偏向する回転多面鏡と、前記回転多面鏡により偏向された光ビームを被走査面へ案内する反射ミラーと、前記光源、前記回転多面鏡、及び前記反射ミラーを収容する光学箱と、を備える光走査装置の製造方法であって、前記光学箱は、前記反射ミラーの長手方向の一端側を支持するための第１の支持部と、前記反射ミラーの長手方向の他端側を支持するための第２の支持部と、を有し、前記第１の支持部は、支持する前記反射ミラーが当接するための当接面を有する複数の凸部を有し、前記複数の凸部は、前記反射ミラーが前記複数の凸部に設置されたと仮定した場合に、前記複数の凸部が有する全ての前記当接面に前記反射ミラーが接触するように前記第１の支持部に形成されており、前記光走査装置が搭載される画像形成装置の単位時間当たりの印刷可能枚数に関する情報に基づいて、前記反射ミラーの支持に用いる凸部を前記複数の凸部から少なくとも１つ選択する選択工程と、前記複数の凸部のうち、前記選択工程で選択した凸部を除いた凸部が前記反射ミラーに非接触となるような加工を前記光学箱に加える加工工程と、前記反射ミラーを前記加工工程において加工を加えなかった凸部の前記当接面に設置する設置工程と、前記設置工程で前記当接面に設置した前記反射ミラーを前記光学箱に固定する固定工程と、を備えることを特徴とする光走査装置の製造方法。
【手続補正４】
【補正対象書類名】明細書
【補正対象項目名】００１１
【補正方法】変更
【補正の内容】
【００１１】
（３）光源と、前記光源から出射された光ビームを偏向する回転多面鏡と、前記回転多面鏡により偏向された光ビームを被走査面へ案内する反射ミラーと、前記光源、前記回転多面鏡、及び前記反射ミラーを収容する光学箱と、を備える光走査装置であって、前記光走査装置は、前記（１）又は前記（２）に記載された製造方法により製造されたことを特徴とする光走査装置。